(57)【要約】  【課題】  表示操作パネルを備える画像形成装置であって、他の画像形成装置を遠隔操作することが可能で、しかも、遠隔操作の対象の画像形成装置の操作手順に慣れた使用者が円滑に操作することができるものを提供する。  【解決手段】  画像形成装置(10)は、表示操作パネルより成る表示操作部(15)と、他の画像形成装置と通信する通信部(20)と、他の画像形成装置に関する情報を記憶する他装置情報記憶部(25)を備える。他装置情報記憶部には、他の画像形成装置の操作画面とその表示態様を記憶する表示情報記憶部(25a)が含まれている。使用者によって他の画像形成装置が選択されたときには、選択された装置の操作画面をその装置の表示態様で表示操作部に表示して、その装置の機能のための情報の入力を受け付け、入力された情報を選択された装置に送信して、その装置に機能を実行させる。【選択図】      図３
2005178064.tif 000002
【特許請求の範囲】
【請求項１】
少なくともシートに画像を形成する機能を有する画像形成装置であって、表示パネルとタッチパネルとを重ねて成る表示操作パネルを含む操作部を備え、操作画面を表示操作パネルに表示して、操作部より情報を入力され、入力された情報を用いて自己の機能を実行するものにおいて、
表示操作パネルを含む操作部を備える１つ以上の他の画像形成装置との間で通信を行う通信部と、
他の画像形成装置がその画像形成装置の表示操作パネルに表示する操作画面の内容とその表示態様とを記憶する記憶部を備え、
他の画像形成装置を選択するための操作画面を自己の表示操作パネルに表示して、操作部より画像形成装置を選択され、
選択された画像形成装置の操作画面をその画像形成装置の表示態様で自己の表示操作パネルに表示して、操作部より情報を入力され、
入力された情報を選択された画像形成装置に送信して、その画像形成装置にその画像表示装置の機能を実行させる
ことを特徴とする画像形成装置。
【請求項２】
他の画像形成装置の操作画面をその画像形成装置の表示態様で表示すると操作画面が表示操作部に収まらないとき、その操作画面を縮小して表示操作部に表示することを特徴とする請求項１に記載の画像形成装置。
【請求項３】
他の画像形成装置からその画像形成装置の操作画面の内容と表示態様とを受信して、記憶部に記憶することを特徴とする請求項３に記載の画像形成装置。
【請求項４】
自己の機能に用いる情報を他の画像形成装置から受信して、受信した情報を用いて自己の機能を実行することを特徴とする請求項１に記載の画像形成装置。
【請求項５】
自己の操作画面の内容と表示態様とを他の画像形成装置に送信することを特徴とする請求項４に記載の画像形成装置。
【発明の詳細な説明】
【技術分野】
【０００１】
本発明はシートに画像を形成する画像形成装置に関し、特に、他の画像形成装置と通信して、他の画像形成装置を遠隔操作し、または他の画像形成装置から遠隔操作される画像形成装置に関する。
【背景技術】
【０００２】
複写機、ファクシミリ装置、プリンタ等のシートに画像を形成する画像形成装置には、装置の状態や操作案内を表示するための表示部と、使用者の入力操作を受け付ける操作部が備えられている。近年では、操作性の向上のために、操作部の全体または一部分を、使用者が触れた部位を検出するタッチパネルとし、これを表示部である表示パネルに重ねて、表示操作パネルとすることが多くなってきた。表示操作パネルの制御を司る制御部は、表示パネルに表示させている操作画面の内容と使用者が触れたタッチパネルの部位（座標）とに基づいて、使用者が何を入力しようとしたものであるかを判断する。
【０００３】
一方、複数のパーソナルコンピュータを接続して成るローカルエリアネットワーク（ＬＡＮ）に画像形成装置を加えて、パーソナルコンピュータと画像形成装置との間でデータを送受するとともに、画像形成装置を複数のパーソナルコンピュータで共用する情報処理システムが普及しつつある。このようなシステムでは、例えば、画像を読み取る機能と画像を形成する機能を併せ持つ複写機を、イメージスキャナやプリンタとして利用することができて、画像の処理に関する効率が向上する。
【０００４】
ただし、このようなシステムでも、画像形成装置を単独で使用する際には、使用者は当該画像形成装置の操作部から必要な情報を入力するのが一般的である。しかし、システムが大規模になると、画像形成装置が使用者から離れた場所に設置されることが多くなり、使用者が画像形成装置を使用するために移動しなければならない距離が長くなって、逆に不便になることもある。
【０００５】
そこで、システム中の１つの装置の操作部からその装置および他の装置を制御する方法（例え特許第３４２８７１１号）、ネットワークで接続されている他の機器を自機の操作手段により操作できるようにしたデータ処理方法（特開平１０−２８５３２１号）、使用者に関する設定を共有するシステムにおいて設定内容に従って装置の操作画面をカスタマイズする方法（特開２００１−３０６２０４号）等が提案されている。
【特許文献１】特許第３４２８７１１号公報
【特許文献２】特開平１０−２８５３２１号公報
【特許文献３】特開２００１−３０６２０４号公報
【発明の開示】
【発明が解決しようとする課題】
【０００６】
これらの従来技術はいずれも、使用者が操作している操作画面から、他の装置を遠隔操作するというものである。しかしながら、ネットワークに接続されている画像形成装置が全て同一メーカの同一機種であればともかく、機種が異なれば、操作画面が異なって、操作の手順も相違する。ましてメーカの異なる機種が混在するシステムにあっては、操作画面が一層多様化するため、遠隔操作をしても、使い慣れていないがために操作を誤って、所望の結果を得られないという事態が生じ易い。
【０００７】
この問題を解決する一法として、個々の画像形成装置の操作画面とは別に、機種に依存しない全機種共通の操作画面を定めておき、この共通の操作画面をパーソナルコンピュータにＲＯＰ（Remote Operation Panel）として表示させて、パーソナルコンピュータから各画像形成装置に対する操作を行うことが考えられる。
【０００８】
しかし、この方法では、画像形成装置をその表示操作部から直接操作する場合には、その画像形成装置自体の操作画面に従って操作を行う必要があり、使用者は、遠隔操作のためと直接操作のために２種類の操作手順を習得しなければならず、やはり不便である。しかも、新たな機能を有する画像形成装置が開発されると、共通の操作画面を更新する必要が生じ、使用者は共通の操作画面が更新されるごとに操作手順を習得しなければならない。
【０００９】
さらに、パーソナルコンピュータではプログラムの更新は容易であるが、画像形成装置のプログラムは通常更新されないから、共通の操作画面によって遠隔操作を行うことは、画像形成装置間での遠隔操作には不向きである。各画像形成装置に、その装置自体の操作画面と、他の装置と共通の操作画面を表示するプログラムを備えたとしても、新たな機能を有する画像形成装置がシステムに加わったときには、対応できなくなる。
【００１０】
本発明はこのような問題点に鑑みてなされたもので、表示操作パネルを備える画像形成装置であって、他の画像形成装置を遠隔操作することが可能で、しかも、遠隔操作の対象の画像形成装置の操作手順に慣れた使用者が円滑に操作することができるものを提供することを目的とする。
【課題を解決するための手段】
【００１１】
上記目的を達成するために、本発明では、少なくともシートに画像を形成する機能を有する画像形成装置であって、表示パネルとタッチパネルとを重ねて成る表示操作パネルを含む操作部を備え、操作画面を表示操作パネルに表示して、操作部より情報を入力され、入力された情報を用いて自己の機能を実行するものにおいて、表示操作パネルを含む操作部を備える１つ以上の他の画像形成装置との間で通信を行う通信部と、他の画像形成装置がその画像形成装置の表示操作パネルに表示する操作画面の内容とその表示態様とを記憶する記憶部を備え、他の画像形成装置を選択するための操作画面を自己の表示操作パネルに表示して、操作部より画像形成装置を選択され、選択された画像形成装置の操作画面をその画像形成装置の表示態様で自己の表示操作パネルに表示して、操作部より情報を入力され、入力された情報を選択された画像形成装置に送信して、その画像形成装置にその画像表示装置の機能を実行させるようにする。
【００１２】
この画像形成装置は、他の画像形成装置が選択されたときに、その画像形成装置のための情報の入力を受け付けて、入力された情報をその画像形成装置に送信して実行させる。これにより、他の画像形成装置を遠隔操作することができる。他の画像形成装置のための情報の入力を受け付ける際には、表示操作パネルにその画像形成装置の操作画面を表示するが、その操作画面をその画像形成装置固有の表示態様で表示するため、情報入力のための操作手順も、その画像形成装置のものとなる。したがって、遠隔操作の対象の画像形成装置の操作に慣れた使用者は、違和感なく円滑に操作を行うことができる。
【００１３】
ここで、他の画像形成装置の操作画面をその画像形成装置の表示態様で表示すると操作画面が表示操作部に収まらないとき、その操作画面を縮小して表示操作部に表示するようにするとよい。このようにすると、操作画面の全体を確実に表示することができる上、操作の円滑性も損なわれない。
【００１４】
他の画像形成装置からその画像形成装置の操作画面の内容と表示態様とを受信して、記憶部に記憶するようにするとよい。このようにすると、操作画面の内容と表示態様の取得をきわめて容易に行うことができ、通信部を介して通信する画像形成装置が新たに加わったときでも、その画像形成装置を遠隔操作することが可能である。
【００１５】
自己の機能に用いる情報を他の画像形成装置から受信して、受信した情報を用いて自己の機能を実行するようにしてもよい。この画像形成装置は、他の画像軽装装置を遠隔操作するだけでなく、他の画像形成装置から遠隔操作されるものとなる。
【００１６】
ここで、自己の操作画面の内容と表示態様とを他の画像形成装置に送信するようにするとよい。このようにすると、他の画像形成装置からの遠隔操作に際して、その画像形成装置の表示操作パネルに、遠隔操作の対象である自己の操作画面を自己の表示態様で表示させることが容易になる。
【発明の効果】
【００１７】
本発明の画像形成装置によれば、他の画像形成装置を遠隔操作することができる上、遠隔操作の対象である画像表示装置が表示する操作画面をその画像形成装置の表示態様で表示するため、情報入力のための操作手順もその画像形成装置のものとなって、遠隔操作の対象の画像形成装置の操作手順に慣れた使用者が円滑に操作をすることができる。
【発明を実施するための最良の形態】
【００１８】
以下、本発明の実施形態について図面を参照しながら説明する。本発明の画像形成装置を含む情報処理システムの構成を図１に模式的に示す。この情報処理システムは、複数の画像形成装置１０および複数のパーソナルコンピュータ３０より成る。これらは、ＬＡＮケーブル４０によって相互に接続されており、ＬＡＮを形成している。画像形成装置１０には、複写機、ファクシミリ装置、およびプリンタが含まれており、ファクシミリ装置は公衆電話回線４１に接続されている。
【００１９】
本実施形態の画像形成装置１０の構成を複写機を例にとって説明する。複写機の上面を図２に模式的に示す。複写機は、原稿を載置するためのコンタクトガラス１１、コンタクトガラス１１上に原稿Ｄを搬送する原稿供給部１２、表示操作パネルを含み、複写機の設定状況および操作案内を表示するとともに入力操作を受け付ける表示操作部１５、および、複数のキーを含み、入力操作を受け付けるキー操作部１６を備えている。また、複写機は、コンタクトガラス１１に向けて光を照射しながら図２の矢印Ｓ方向に移動して、コンタクトガラス１１上の原稿からの反射光によって原稿の画像を読み取るスキャナ式の画像読取部１３を内部に備えている。
【００２０】
原稿供給部１２は、その一縁を中心に回動可能であり、水平になってコンタクトガラス１１の大部分を覆う閉じた状態と、傾斜してコンタクトガラス１１を露出させる開いた状態とを取り得る。図１は、原稿供給部１２が閉じている状態を表している。
【００２１】
表示操作部１５の表示操作パネルは、液晶パネル等の表示パネルにタッチパネルを重ねたものである。これらは後述するＣＰＵによって制御され、ＣＰＵは、使用者がタッチパネルに触れたとき、表示パネルに表示させている操作画面の内容と、タッチパネルのうちの使用者が触れた部位（座標）とに基づいて、使用者が何を入力しようとしているかを判断する。キー操作部１６は、数値を入力するためのテンキー、複写動作の開始を指示するスタートキー等を含む。表示操作部１５とキー操作部１６は操作部１４を成す。
【００２２】
複写機の構成を図３に模式的に示す。複写機は、上記の各部のほか、画像形成部１７、読取制御部１８、形成制御部１９、通信部２０、ＣＰＵ２１、ＲＯＭ２２、ＲＡＭ２３、自己情報記憶部２４、および他装置情報記憶部２５を備えている。
【００２３】
画像形成部１７は画像読取部１３が原稿から読み取った画像をシートに形成する。読取制御部１８は画像読取部１３を制御し、形成制御部１９は画像形成部１７を制御する。通信部２０はＬＡＮケーブル４０に接続されており、ＬＡＮ上の他の画像形成装置１０およびパーソナルコンピュータ３０と通信する。
【００２４】
ＣＰＵ２１は複写機全体を制御する。ＲＯＭ２２は、ＣＰＵ２１の制御動作を記したプログラムおよびＣＰＵ２１が制御に用いるパラメータを記憶している。ＲＡＭ２３は、ＣＰＵ２１が一時的に制御に用いるパラメータを記憶し、また、画像読取部１３が読み取った画像を記憶する。
【００２５】
自己情報記憶部２４は、当該複写機自体に関する情報を記憶するもので、フラッシュメモリより成る。自己情報記憶部２４には一般情報記憶部２４ａと表示情報記憶部２４ｂが含まれる。一般情報記憶部２４ａは、当該複写機のメーカ、機種、識別番号、および配設場所を記憶している。使用者は、複写機の配設場所を変更したときは、一般情報記憶部２４ａ中のその情報を変更することができる。
【００２６】
表示情報記憶部２４ｂは、表示操作部１５の表示操作パネルの大きさ、表示操作パネルに表示する操作画面の内容およびその表示態様、ならびに操作画面の内容に応じた入力操作の処理方法を記憶している。ここで、表示態様には、例えば、表示する各項目の表示操作パネル上での位置、大きさ、および色が含まれる。
【００２７】
他装置情報記憶部２５は、ＬＡＮ上の他の画像形成装置１０に関する情報を記憶するもので、フラッシュメモリより成る。他装置情報記憶部２５は、複数の画像形成装置１０に関する情報を記憶することができる。他装置情報記憶部２５には一般情報記憶部２５ａと表示情報記憶部２５ｂが含まれる。他装置情報記憶部２５の一般情報記憶部２５ａと表示情報記憶部２５ｂが記憶する情報は、自己情報記憶部２４の一般情報記憶部２４ａと表示情報記憶部２４ｂが記憶する情報と同様であるが、それらの情報は画像形成装置１０ごとに対応づけて記憶される。
【００２８】
画像形成装置１０のうちファクシミリ装置は、上記複写機に、ファクシミリ通信を行うための第２の通信部を備えた構成である。ファクシミリ送信に際しては、画像読取部１３が読み取った画像を第２の通信部から他のファクシミリ装置に送信し、ファクシミリ受信に際しては、第２の通信部が他のファクシミリ装置から受信した画像を、画像形成部１７によりシートに形成する。
【００２９】
プリンタは、上記複写機から画像読取部１３および読取制御部１８を除いた構成である。プリンタは、通信部２０がパーソナルコンピュータ３０から受信したデータを、画像形成部１７により、画像としてシートに形成する。
【００３０】
画像形成装置１０が表示操作部１５に表示する操作画面は、装置の種類（複写機、ファクシミリ装置、プリンタ）によって相違し、また、同じ種類であっても、メーカや型番によって相違する。表示操作部１５の大きさも同様に相違する。
【００３１】
１つの複写機が表示する操作画面の例を図４に示し、他の複写機が表示する操作画面の例を図５に示す。図４の操作画面には、入力可能な項目を示す領域Ｄ１と装置の状況を示す領域Ｄ２が含まれている。図５の操作画面には、入力可能な項目を示す領域Ｄ３、Ｄ４のみを含み、装置の状況を示す領域は含まれていない。また、（ａ）、（ｂ）に示すように、図４では１つの操作画面にまとめて表示されていた入力可能な項目が、２つの操作画面に分けて表示されている。
【００３２】
図４、図５において、下線を付した部分は、複写機が画像形成に用いる情報であり、使用者の入力操作に応じて変化する。使用者は、各情報の左に表示されている見出の部分に触れることにより、対応する情報を変えることができる。なお、一部の情報については、キー操作部１６を操作することによって入力することもできる。例えば、同一の画像についての複写回数（図４では「コピー部数」の見出し、図５（ａ）では「部数」の見出しが付されている）については、キー操作部１６からの入力が可能である。複写動作の開始は、キー操作部１６のスタートキーの操作によって指示される。
【００３３】
各画像形成装置１０は、使用者による他の画像形成装置１０の選択を受けて、選択された画像形成装置１０にその機能を実行させることができる。選択可能な画像形成装置１０は、情報が他装置情報記憶部２５に記憶されているものである。他の画像形成装置１０を選択するための操作画面の例を図６に示す。この操作画面Ｄ６には、自己および他の画像形成装置１０の種類および配設場所が表されており、使用者は、種類または配設場所に触れることにより、画像形成装置１０を選択することができる。
【００３４】
この操作画面Ｄ６は、図４、図５（ａ）の「他の装置」と表示された項目Ｄ５に触れることにより表示される。なお、自己（「本機」の表示が付されている）が選択されたときには、元の操作画面に戻って、自己の機能のための情報の入力を受け付ける。
【００３５】
画像形成装置１０の機能は装置の種類によって異なり、使用者が利用したい機能は状況によって異なるから、選択された画像形成装置に応じた情報が必要である。そこで、各画像形成装置１０は、他の画像形成装置１０が選択されたときは、操作部１４から、選択された画像形成装置１０のための情報の入力を受け付ける。
【００３６】
また、その入力操作を案内するために、他装置情報記憶部２５の表示情報記憶部２５ｂに記憶している情報に基づいて、表示操作部１５に、選択された画像形成装置１０の操作画面を、選択された画像形成装置１０の表示態様で表示する。入力操作の処理も、表示情報記憶部２５ｂに記憶している情報に基づいて、選択された画像形成装置の方法によって行う。したがって、使用者は、選択した画像形成装置１０を直接操作する場合と同様の手順で、入力操作を行うことができる。なお、入力された情報はＲＡＭ２３に記憶しておく。
【００３７】
選択された画像形成装置１０のための情報が入力された後、キー操作部１６のスタートキーが操作されると、画像形成装置１０は、入力された情報とその情報に応じた機能を実行すべきことの指示を、選択された画像形成装置１０に通信部２０から送信する。画像の読み取りが必要な場合は、スタートキーの操作に応じて、使用者によってあらかじめコンタクトガラス１１上または原稿供給部１２に載置されている原稿から画像を読み取って、その画像を送信する情報に加える。これらの情報と機能の実行指示を受信した画像形成装置１０は、受信した情報を用いて機能を実行する。これにより、画像形成装置１０間で遠隔操作がなされることになる。
【００３８】
表示操作部１５の表示操作パネルの大きさは画像形成装置１０によって異なるから、自己の表示操作部１５に他の画像形成装置１０の操作画面をその画像形成装置１０の表示態様で表示すると、全体が表示操作パネルに収まらず、一部を表示できないことがある。そのような場合、画像形成装置１０は操作画面を縮小して表示する。操作画面の縮小は、縦方向と横方向について同じ比率で行い、また、操作画面の全体が表示操作パネルに収まる範囲内で最大になるようにする。
【００３９】
自己情報記憶部２４が記憶する情報は、一般情報記憶部２４ａが記憶する配設場所を除き、製造時に書き込まれる。設置場所は、使用者が操作部１４から入力して記憶させる。各画像形成装置１０は自己情報記憶部２４が記憶している情報を他の画像形成装置１０に送信することが可能であり、また逆に、他の画像形成装置１０から受信した情報を他装置情報記憶部２５に記憶することも可能である。したがって、自己情報記憶部２４および他装置情報記憶部２５に記憶する情報の取得は容易である。なお、他装置情報記憶部２５に記憶する情報は、操作部１４から入力することもできる。
【００４０】
画像形成装置１０における入力操作の受け付けに関する処理の流れを図７に示す。まず、表示操作部１５に自己の基本的な操作画面を表示する（ステップ＃１０５）。基本的な操作画面とは、図４、図５（ａ）のように、他の装置を選択するための操作画面への移行を表す項目を含む操作画面である。
【００４１】
次いで、装置の切り換え（他の装置の選択）の指示（項目Ｄ５の操作）がなされたか否かを判定する（＃１１０）。装置の切り換えが指示されないときには、操作部１４より自己の機能のための入力操作を受け付け、入力に応じて操作画面を変更する（＃１１５）。そして、実行の指示（スタートキーの操作）がなされたか否かを判定し（＃１２０）、実行が指示されないときは、ステップ＃１１５に戻る。実行が指示されたときは、入力された情報を用いて、自己の機能（例えば、複写機であれば複写、ファクシミリ装置であればファクシミリ送信）を実行する（＃１２５）。
【００４２】
ステップ＃１１０の判定で装置の切り換えが指示されたときは、装置を選択するための操作画面（図６）を表示する（＃１３０）。そして、いずれかの画像形成装置１０が選択されるのを待つ（＃１３５）。いずれかの装置が選択されると、それが自己であるか否かを判定し（＃１４０）、自己が選択されていたときには、ステップ＃１１５に進む。
【００４３】
自己以外の画像形成装置１０が選択されていたときは、他装置情報記憶部２５を参照して、選択された画像形成装置の基本の操作画面を表示操作部１５に表示する（＃１４５）。次いで、選択された画像形成装置１０のための情報の入力を受け付け、入力に応じて操作画面を変更する（＃１５０）。変更後の操作画面も選択された画像形成装置１０のものである。
【００４４】
そして、実行の指示（スタートキーの操作）がなされたか否かを判定し（＃１５５）、実行が指示されないときは、ステップ＃１５０に戻る。実行が指示されたときは、入力された情報と機能の実行指示を、選択された画像形成装置１０に送信して（＃１６０）、ステップ＃１０５に戻る。
【００４５】
なお、ステップ＃１１５およびステップ＃１５０の処理の後、実行の指示が所定時間なされなかったときは、ステップ＃１０５に戻るようにしてもよい。このようにすると、使用者が途中で操作をやめたときでも、ある程度時間が経過した時点で自己の基本的な操作画面を表示することになり、他の使用者が安心して画像形成装置１０を使用することができる。
【００４６】
他の画像形成装置１０から、情報を受信したときの処理の流れを図８に示す。ここで、他の画像形成装置１０から受信する情報には２種類ある。１つは、機能の実行とそのために用いる情報であり、もう１つは、他装置情報記憶部２５に記憶する情報である。
【００４７】
まず、他の画像形成装置１０から情報を受信したか否かを判定し、受信していないときは受信を待つ（＃２０５）。受信したときは、受信した情報をＲＡＭ２３に記憶し（＃２１０）、受信した情報が機能の実行を指示するものであるか、他装置情報記憶部２５に記憶するものであるかを判定する（＃２１５）。実行を指示するものであるときは、自己が何らかの処理を行っているか否かを判定し（＃２２０）、処理を行っていなければ直ちに、処理を行っているときはその終了を待って、受信した情報を用いて、受信した情報に応じた機能を実行する（＃２２５）。そして、ステップ＃２０５に戻る。
【００４８】
ステップ＃２１５の判定で、受信した情報が他装置情報記憶部２５に記憶するものであるときは、その情報を他装置情報記憶部２５の一般情報記憶部２５ａと表示情報記憶部２５ｂに記憶する（＃２３０、＃２３５）。そして、ステップ＃２０５に戻る。
【００４９】
なお、本実施形態では、表示情報記憶部２４ｂ、２５ｂに、表示操作部１５の表示操作パネルの大きさを記憶しておくようにしており、表示態様である表示項目の位置や大きさを表示操作パネルの大きさを基準に定めているが、表示操作パネルの表示画素数を記憶するようにして、表示項目の位置や大きさを画素を単位として表すようにしてもよい。また、ここでは、他の画像形成装置１０を選択するための操作画面に、装置の種類と配設場所を表示するようにしているが、各画像形成装置１０の識別番号や、情報処理システムの使用者が各画像形成装置１０に任意に付した名称を表示するようにしてもよい。
【図面の簡単な説明】
【００５０】
【図１】本発明の画像形成装置を含む情報処理システムの構成を模式的に示す図。
【図２】本発明の画像形成装置の一実施形態である複写機の上面図。
【図３】上記複写機の構成を模式的に示す図。
【図４】上記複写機が表示する操作画面の例を示す図。
【図５】本発明の画像形成装置の一実施形態である他の複写機が表示する操作画面の例を示す図。
【図６】本発明の一実施形態の画像形成装置が他の画像形成装置の選択を案内するために表示する操作画面の例を示す図。
【図７】本発明の一実施形態の画像形成装置における入力操作の受け付けに関する処理の流れを示すフローチャート。
【図８】本発明の一実施形態の画像形成装置が他の画像形成装置から情報を受信したときの処理の流れを示すフローチャート。
【符号の説明】
【００５１】
１０    画像形成装置
１１    コンタクトガラス
１２    原稿供給部
１３    画像読取部
１４    操作部
１５    表示操作部
１６    キー操作部
１７    画像形成部
１８    読取制御部
１９    形成制御部
２０    通信部
２１    ＣＰＵ
２２    ＲＯＭ
２３    ＲＡＭ
２４    自己情報記憶部
２４ａ  一般情報記憶部
２４ｂ  表示情報記憶部
２５    自己情報記憶部
２５ａ  一般情報記憶部
２５ｂ  表示情報記憶部
３０    パーソナルコンピュータ
４０    ＬＡＮケーブル
４１    公衆電話回線
【図１】
2005178064.tif 000003
【図２】
2005178064.tif 000004
【図３】
2005178064.tif 000005
【図４】
2005178064.tif 000006
【図５】
2005178064.tif 000007
【図６】
2005178064.tif 000008
【図７】
2005178064.tif 000009
【図８】
2005178064.tif 000010